(57)【特許請求の範囲】
【請求項１】
バックライトモジュールに用いられる導光板であって、
前記導光板は、入光面と、出光面と、前記出光面と向かい合って設けられた底面と、からなり、
前記入光面は、前記底面と前記出光面に連結され、
前記導光板の内部には内部空間が形成され、前記内部空間は、向かい合う二つの側壁と、二つの前記側壁に連結される端壁と、からなり、
前記端壁は、前記入光面に平行であるとともに、前記入光面と間隔をあけて設けられ、前記内部空間内における前記端壁と前記二つの側壁が連結された位置には、いずれも内部光源が設けられ、前記入光面から入射した光線及び前記内部光源の光線は、前記内部空間によって屈折あるいは反射された後、前記出光面から射出される
ことを特徴とする導光板。
【請求項２】
請求項１に記載の導光板において、
前記二つの側壁及び前記端壁の表面が曲面である
ことを特徴とする導光板。
【請求項３】
請求項２に記載の導光板において、
前記二つの側壁及び前記端壁の表面には反射コーティングが設けられている
ことを特徴とする導光板。
【請求項４】
請求項２に記載の導光板において、
前記二つの側壁及び前記端壁の表面は、複数の半球面或いは複数の多角形面を配列することによって形成される
ことを特徴とする導光板。
【請求項５】
請求項２に記載の導光板において、
前記二つの側壁及び前記端壁の表面は錐状体を配列することによって形成される
ことを特徴とする導光板。
【請求項６】
バックプレートと、外部光源と、光学フィルムと、導光板と、からなるバックライトモジュールであって、
前記導光板は、入光面と、出光面と、前記出光面と向かい合って設けられた底面と、からなり、
前記入光面は、前記底面と前記出光面に連結され、
前記導光板の内部には内部空間が形成され、前記内部空間は、向かい合う二つの側壁と、二つの前記側壁に連結される端壁と、からなり、
前記端壁は、前記入光面に平行であるとともに、前記入光面と間隔をあけて設けられ、前記内部空間内における前記端壁と前記二つの側壁が連結された位置には、いずれも内部光源が設けられ、前記入光面から入射した前記外部光源の光線及び前記内部光源の光線は、前記内部空間によって屈折あるいは反射された後、前記出光面から射出され、
前記導光板は前記バックプレートに重なり合って設けられ、
前記光学フィルムは前記出光面に配置され、
前記外部光源は前記導光板の前記入光面を向いている
ことを特徴とする、バックライトモジュール。
【請求項７】
請求項６に記載のバックライトモジュールにおいて、
前記バックプレートはベースプレート及びサイドプレートからなり、
前記導光板は両面テープで前記バックプレートと固定される
ことを特徴とするバックライトモジュール。
【請求項８】
請求項７に記載のバックライトモジュールにおいて、
前記ベースプレートと前記導光板の間には反射プレートが設けられる
ことを特徴とするバックライトモジュール。
【請求項９】
請求項６に記載のバックライトモジュールにおいて、
前記二つの側壁及び前記端壁の表面は曲面である
ことを特徴とするバックライトモジュール。
【請求項１０】
ディスプレイ装置であって、
前記ディスプレイ装置は、バックライトモジュールと液晶画面プレートからなり、
前記バックライトモジュールはバックプレートと、外部光源と、光学フィルムと、導光板と、からなり、
前記導光板は、入光面と、出光面と、前記出光面と向かい合って設置された底面からなり、
前記入光面は、前記底面と前記出光面に連結され、
前記導光板の内部には内部空間が形成され、前記内部空間は、向かい合う二つの側壁と、二つの前記側壁に連結される端壁と、からなり、
前記端壁は、前記入光面に平行であるとともに、前記入光面と間隔をあけて設けられ、前記内部空間内における前記端壁と前記二つの側壁が連結された位置には、いずれも内部光源が設けられ、前記入光面から入射した前記外部光源からの光線及び前記内部光源の光線は、前記内部空間によって屈折あるいは反射された後、前記出光面から射出され、
前記導光板は前記バックプレートに重なり合って設けられ、
前記光学フィルムは前記出光面に配置され、
前記外部光源は前記導光板の前記入光面を向いており、
前記液晶画面プレートはバックライトモジュールに設けられ、かつ前記液晶画面プレートと前記光学フィルムの間は両面テープで固定される
ことを特徴とするディスプレイ装置。
【発明の詳細な説明】
【技術分野】
【０００１】
本発明は、２０１４年１２月２日に提出した申請番号２０１４１０７２３１００．７・発明名称「導光板とバックライトモジュール及び表示装置」の先願優先権を要求し、前記先願の内容は引用の方法で本文中に合併される。
【０００２】
本発明は液晶ディスプレイ技術領域に関し、特に、導光板バックライトモジュールとディスプレイ装置に関する。
【背景技術】
【０００３】
現在、液晶表示装置は電子機器のディスプレイ装置としてすでに様々な電子製品に幅広く応用されている。このような電子機器のベゼルはますます狭くなってきているとともに、輝度に対する要求もだんだんと高くなっており、同時に節電のニーズにも応える必要がある。また、バックライトモジュールは、液晶表示装置の中の一つの重要なパーツである。
【０００４】
前記バックライトモジュールは、導光板と、前記導光板の周囲に設けられたプラスチックフレーム、光源、フレキシブル回路基板光学フィルムなどからなる。前記光源フレキシブル回路基板は、前記遮光用テープによって、前記導光板とプラスチックフレームに固定される。エッジライト型のバックライト装置に関して言及すると、光源の光は導光板の側面から導光板に入った後、光線は導光板によって反射されて、出光面から射出され、また一部分は反射片などに反射されて、出光面から射出される。
【０００５】
しかしながら、現在の技術においては、光線が導光板を通して射出される時、８％の光エネルギーは導光板に吸収され消失し、画面の輝度が低下するが、消失した光エネルギーは、光学フィルムを１０％前後増やして補うしかないため、生産コストの増加を招く。
【発明の概要】
【発明が解決しようとする課題】
【０００６】
本発明は、導光板の光エネルギーの消失を減少させ、さらに生産コストを低下させることができる導光板を提供することを目的とする。
【０００７】
また、本発明は、バックライトモジュールおよび液晶表示装置を提供することを目的とする。
【０００８】
上述の目的を実現するために、本発明の実施方式は以下のような技術方案を提供する。
【０００９】
本発明の導光板は、バックライトモジュールに用いられる。前記導光板は、入光面と、出光面と、前記出光面と向かい合って設置された底面と、からなる。前記入光面は前記底面と前記出光面に連結され、前記導光板の内部には内部空間が形成され、前記内部空間は、向かい合う二つの側壁と、二つの側壁に連結される端壁と、からなる。前記端壁は、前記入光面に平行であるとともに、入光面に間隔をあけて設けられ、前記内部空間内における端壁と前記二つの側壁が連結された位置には、いずれも光源が設けられ、入光面から入射した光線および前記二つの光源の光線は、前記内部空間によって、屈折と（或いは）反射された後、出光面から射出される。
【００１０】
その内、前記二つの側壁及び端壁の表面は曲面である。
【００１１】
その内、前記二つの側壁及び端壁の表面には反射コーティングが設けられる。
【００１２】
その内、前記二つの側壁及び端壁の表面は、複数の半球面あるいは複数の多角形面が配列されることにより形成される。
【００１３】
その内、前記二つの側壁及び端壁の表面は、錐状体が配列されることにより形成される。
【００１４】
前記バックライトモジュールは、バックプレート、光源、光学フィルムおよび導光板からなり、前記導光板は、入光面と、出光面と、前記出光面と向かい合って設置された底面と、からなる。前記入光面は前記底面と前記出光面に連結され、前記導光板内部には内部空間が形成され、前記内部空間は、向かい合う二つの側壁と、二つの側壁に連結される端壁と、からなる。前記端壁は、前記入光面に平行であるとともに、入光面に間隔をあけて設けられ、前記内部空間内における端壁と前記二つの側壁が連結された位置には、いずれも光源が設けられ、入光面から入射した光線および前記二つの光源の光線は、前記内部空間によって、屈折と（或いは）反射された後、出光面から射出される。前記導光板は前記バックプレートに重なり合って設けられ、前記光学フィルムは前記出光面上に配置され、前記光源は前記導光板の入光面を向いている。
【００１５】
その内、前記バックプレートは、ベースプレートと、サイドプレートとからなり、前記導光板は両面テープでバックプレートに固定される。
【００１６】
その内、前記ベースプレートと前記導光板の間には反射プレートが設けられる。
【００１７】
その内、前記二つの側壁及び端壁の表面は曲面である。
【００１８】
前記液晶画面装置はバックライトモジュールと液晶画面プレートからなり、前記バックライトモジュールはバックプレートと、光源と、光学フィルムと、導光板と、からなる。前記導光板は入光面と、出光面と、前記出光面と向かい合って設けられた底面と、からなる。前記入光面は前記底面と前記出光面に連結され、前記導光板の内部には内部空間が形成され、前記内部空間は、向かい合う二つの側壁と、二つの側壁に連結される端壁からなる。前記端壁は前記入光面に平行であるとともに、入光面に間隔をあけて設けられ、前記内部空間内における端壁と前記二つの側壁が連結された位置には、いずれも光源が設けられ、入光面から入射した光線および前記二つの光源の光線は、前記内部空間によって屈折と（或いは）反射された後、出光面から射出される。前記導光板は前記バックプレートに重なり合って設けられ、前記光学フィルムは前記出光面に配置され、前記光源は前記導光板の入光面を向いている。前記液晶プレートは前記バックライトモジュールに設けられ、前記液晶プレートと前記光学フィルムは両面テープで固定される。
【００１９】
本発明におけるバックライトモジュールの導光板には内部空間が設けられる。前記内部空間における入光面の離れた一側には光源が設けられ、外部の光が入光面から入ってくる際、内部空間内の光源の光線とともに前記内部空間によって屈折と（或いは）反射された後、出光面から射出され、導光板自身が光エネルギーを吸収することを減少させるだけでなく、出光面が射出した光線の輝度を増加させ、実際の画面の明るさが向上し導光板のコストも減少させることができる。
【図面の簡単な説明】
【００２０】
本発明の技術案をさらに理解するために、以下では、実施例の記述に必要な図面について、簡単に説明を行う。当然のことながら、以下の図面は、本発明の一部の実施例に過ぎず、本分野の一般の技術者は、創造性のある労働をせずとも、これらの図面をもとに、その他の図面を考えだすことができる。
【００２１】
【図１】本発明の好ましい実施例における導光板の構造を示した図である。
【図２】図１で示される本発明のバックライトモジュールのＩＩ−ＩＩ方向に沿った断面を示した図である。
【図３】図１で示されるバックライトモジュールの別の方向からの断面を示した図である。
【発明を実施するための形態】
【００２２】
下記では、本発明の実施例における添付図と併せ、本発明の実施例における技術方案について、詳細に記述する。
【００２３】
図1、図２、図３を参照する。本発明の好ましい実施例は、導光板１０を提供する。前記導光板１０は、バックライトモジュール内で用いられる。前記導光板１０は入光面１１と、出光面１２と、前記出光面１２と向かい合って設置された底面１３と、からなる。前記入光面１１は前記底面１３と前記出光面１２に連結される。前記導光板１０内部には、内部空間１５が形成され、前記内部空間１５は、向かい合う二つの側壁１５１と、二つの側壁１５１に連結される端壁１５２と、からなる。前記端壁１５２は、前記入光面１１に並行であるとともに、入光面１１と間隔をあけて設けられる。前記内部空間１５内における端壁１５２と前記二つの側壁１５１が連結された位置には、いずれも光源１６が設けられ、入光面１１から入射した光線及び前記二つの光源１６の光線は、前記内部空間１５によって屈折と（或いは）反射された後、出光面１２から射出される。
【００２４】
この実施例の中で、前記導光板１０は長方形のプレートであり、また、前記導光板１０は、一体成型であり、且つ内部が中空であるとともに前記内部空間１５を形成する。前記導光板１０における前記二つの側壁１５１に平行な二つの側面には、順番に配列された複数の収容溝１６が設けられる。前記収容溝１６は前記導光板を貫通しているとともに、バックライトモジュールの光源を収容するのに用いられる。
【００２５】
前記の図１は本発明の好ましい実施例における導光板の構造を示した図であり、その中の点線部分は、内部空間の輪郭および曲面を構成する錐状体の輪郭を示している。前記二つの側壁１５１および端壁１５２の表面は曲面である。また、前記二つの側壁１５１および端壁１５２の表面には反射コーティングが設けられる。前記反射コーティングは前記表面の反射効果を増強する。
【００２６】
前記二つの光源１６は、発光ダイオードであるとともに、前記二つの側壁１５１と端壁１５２の連結部に取り付けられ、放出された光線は前記二つの側壁１５１および端壁１５２の表面で反射あるいは屈折されたのち出光面１２から射出され、導光板の光線強度が増加する。
【００２７】
さらに、前記二つの側壁１５１および端壁１５２の表面は、複数の半球面あるいは複数の多角形面を配列することによって形成される。或いは、前記二つの側壁１５１および端壁１５２の表面は錐状体を配列することにより形成される。本実施例において、前記二つの側壁１５１および端壁１５２の表面は、錐状体１５３が排列され形成する曲面である。
【００２８】
本発明の好ましい実施例はさらにバックライトモジュールを提供する。前記バックライトモジュールは、前記導光板１０と、バックプレート２０と、光源３０と、光学フィルム４０とからなる。前記導光板１０は前記バックプレート２０に重なり合って設けられ、前記光学フィルム４０は前記出光面１２に配置されるとともに、両面テープで固定され、前記光源３０は前記導光板１０の入光面１１を向いており、前記光源３０の光線は内部空間１５の二つの側壁１５１を通り導光板に入る。
【００２９】
本実施例において、前記バックプレート２０は、ベースプレート２１とサイドプレート２２とからなり、前記導光板１０は両面テープでバックプレート２０と固定される。
【００３０】
本実施例において、前記ベースプレート２１と前記導光板１０の間には反射プレート２３が設けられる。
【００３１】
本発明はさらにディスプレイ装置を提供する（図示せず）。前記ディスプレイ装置は、前記バックライトモジュールと液晶画面プレートとからなり、前記液晶画面プレートは前記バックライトモジュールに設けられ、前記液晶画面プレートと前記光学フィルムの間は両面テープで固定される。
【００３２】
本発明のバックライトモジュールの導光板には内部空間が設けられ、前記内部空間における入光面離れた一側には、光源が設けられ、外部の光が光面から入ってくる際、内部空間内の光源の光線と共に前記内部空間で屈折と（あるいは）反射し、出光面から射出され、導光板自身が光エネルギーを吸収することを減少させるだけでなく、出光面が射出した光線の輝度を増加させ、実際の画面の明るさが向上し導光板のコストも減少させることができる。
【００３３】
以上前述した内容は本発明の好ましい実施例であり、本技術分野の一般的な技術者は、本発明の原理を逸脱しない範囲で若干の改善と潤色を行うことも可能であり、このような改善と潤色も本発明の保護範囲とみなすものとする。
【符号の説明】
【００３４】
１０    導光板
１１    入光面
１２    出光面
１３    底面
１５    内部空間
１５１  側壁
１５２  端壁
１５３  錐状体
１６    収容溝
２０    バックプレート
２１    ベースプレート
２２    サイドプレート
２３    反射プレート
４０    光学フィルム
【図１】
0006514331.tif 000002
【図２】
0006514331.tif 000003
【図３】
0006514331.tif 000004